(57)【要約】【課題】広域イーサネット（登録商標）の中継ネットワーク内を流れるフレームのモニタに適したフレームキャプチャ装置を提供する。【解決手段】広域イーサネットの中継ネットワーク内で受信したデータからフレームを検出するフレーム検出部と、検出されたフレームから転送用タグを抽出する抽出処理部と、抽出された転送用タグを表示装置に表示させる表示用データ処理部と、を備えたフレームキャプチャ装置。表示用データ処理部は、所定時間間隔で転送用タグを表示装置に表示させることができる。【選択図】図１
2013058891.tif 000002
【特許請求の範囲】
【請求項１】
広域イーサネット（登録商標）の中継ネットワーク内で受信したデータからフレームを検出するフレーム検出部と、
検出されたフレームから転送用タグを抽出する抽出処理部と、
抽出された転送用タグを表示装置に表示させる表示用データ処理部と、
を備えたことを特徴とするフレームキャプチャ装置。
【請求項２】
前記表示用データ処理部は、所定時間間隔で前記転送用タグを前記表示装置に表示させることを特徴とする請求項１に記載のフレームキャプチャ装置。
【請求項３】
前記表示用データ処理部は、前記表示装置に、前記フレームの構成の一部または全部を、前記転送用タグを強調した状態で表示させることを特徴とする請求項１または２に記載のフレームキャプチャ装置。
【発明の詳細な説明】
【技術分野】
【０００１】
本発明は、ネットワークを通過するフレームをキャプチャし、表示するフレームキャプチャ装置に関し、特に、広域イーサネット（登録商標）の中継ネットワーク内を流れるフレームのモニタに適したフレームキャプチャ装置に関する。
【背景技術】
【０００２】
企業向けのＷＡＮ（Wide Area Network）の代表的なサービスとして広域イーサネットが注目されている。広域イーサネットは、イーサネットフレームを転送するスイッチや通信回線を複数の企業等で共用するネットワークである。広域イーサネットは、ＩＥＥＥ８０２．１ａｄ、ＩＥＥＥ８０２．１ａｈで標準化されている。
【０００３】
図５は、広域イーサネットの一例を示す図であり、中継ネットワーク３００をＡ社とＢ社とで共用する場合を例にしている。中継ネットワーク３００は、収容スイッチ３１０と中継スイッチ３２０とを備えている。企業のＬＡＮから送られたイーサネットフレームは、その企業ＬＡＮと接続している収容スイッチ３１０が受信する。
【０００４】
図６（ａ）は、企業のＬＡＮから送られ、収容スイッチ３１０が受信するイーサネットフレームの構成を示す図である。ここでは、ＩＥＥＥ８０２．１ａｄを例に説明する。本図に示すように、企業のＬＡＮから送られるイーサネットフレームは、宛先のＭＡＣ（Media Access Control）アドレスと、送信元のＭＡＣアドレスと、ユーザデータ本体であるＤＡＴＡと、データ誤り検出訂正用のＦＣＳ（Frame Check Sequence）とに加え、ＶＬＡＮタグとしてカスタマＶＬＡＮタグ（Ｃ−ＴＡＧ）を含んでいる。カスタマＶＬＡＮタグは、企業ＬＡＮ内での識別情報であるカスタマＶＬＡＮ識別子を有するタグである。
【０００５】
収容スイッチ３１０は、受信したポート番号から、その企業に対応するサービスＶＬＡＮ識別子を判定する。ここで、サービスＶＬＡＮ識別子は、中継ネットワーク３００の提供者が企業を識別し、論理的に分離するための識別子であり、あらかじめ定められている。そして、サービスＶＬＡＮ識別子を含むサービスＶＬＡＮタグを、ＶＬＡＮタグとしてイーサネットフレームに挿入し、中継ネットワーク３００に転送する。図６（ｂ）は、サービスＶＬＡＮタグ（Ｓ−ＴＡＧ）が挿入されたイーサネットフレームの構成を示している。
【０００６】
イーサネットフレームは、中継スイッチ３２０を介して着信側の収容スイッチ３１０に到着する。着信側の収容スイッチ３１０は、受信したイーサネットフレーム内のサービスＶＬＡＮタグに含まれるサービスＶＬＡＮ識別子を参照後、イーサネットフレームからサービスＶＬＡＮタグを除去し、対応するポートにだけ出力する。図６（ｃ）は、サービスＶＬＡＮタグが除去されたイーサネットフレームの構成を示している。
【先行技術文献】
【特許文献】
【０００７】
【特許文献１】特開２００６−４８４５６号公報
【発明の概要】
【発明が解決しようとする課題】
【０００８】
ネットワークの開通試験や保守試験では、特定のフレームを通過させて試験を行なうが、この際に、エラーが発生したり、意図しないフレームを受信するときには、受信しているフレームの内容を知る必要がある。このような場合に、受信したフレームをキャプチャして表示するフレームキャプチャ装置が用いられる。
【０００９】
従来のフレームキャプチャ装置では、ユーザの操作によりフレームのキャプチャを開始し、キャプチャが終了すると、受信したすべてのフレームをリスト表示する。そして、ユーザがフレームのリストを見て受信したフレームの内容を確認する。
【００１０】
広域イーサネットの中継ネットワークにおける開通試験や保守試験にもフレームキャプチャ装置が用いられるが、従来のフレームキャプチャ装置は、詳細な解析用途を想定しているため、キャプチャの結果表示される項目が多く、中継ネットワーク内で重要な項目に注目するのには不向きである。さらに、受信したすべてのフレームを表示するため、表示フレーム数が多く、ユーザの負担が大きいのに加え、表示に時間がかかるといった問題があった。
【００１１】
そこで、本発明は、広域イーサネットの中継ネットワーク内を流れるフレームのモニタに適したフレームキャプチャ装置を提供することを目的とする。
【課題を解決するための手段】
【００１２】
上記課題を解決するため、本発明のフレームキャプチャ装置は、広域イーサネットの中継ネットワーク内で受信したデータからフレームを検出するフレーム検出部と、検出されたフレームから転送用タグを抽出する抽出処理部と、抽出された転送用タグを表示装置に表示させる表示用データ処理部と、を備えたことを特徴とする。
【００１３】
ここで、前記表示用データ処理部は、所定時間間隔で前記転送用タグを前記表示装置に表示させることが望ましい。
【００１４】
また、前記表示用データ処理部は、前記表示装置に、前記フレームの構成の一部または全部を、前記転送用タグを強調した状態で表示させることができる。
【発明の効果】
【００１５】
本発明によれば、広域イーサネットの中継ネットワーク内を流れるフレームのモニタに適したフレームキャプチャ装置が提供される。
【図面の簡単な説明】
【００１６】
【図１】本実施形態に係るフレームキャプチャ装置の構成を示すブロック図である。
【図２】本実施形態の広域イーサネットを説明する図である。
【図３】本実施形態のフレームキャプチャ装置の動作を説明するフローチャートである。
【図４】ＶＬＡＮタグの表示形式の例について説明する図である。
【図５】従来の広域イーサネットを説明する図である。
【図６】イーサネットフレームの構成を説明する図である。
【発明を実施するための形態】
【００１７】
本発明の実施の形態について図面を参照して説明する。図１は、本実施形態に係るフレームキャプチャ装置の構成を示すブロック図である。フレームキャプチャ装置１００は、広域イーサネット等のネットワークの開通試験、保守試験等に用いられる測定装置であり、本図に示すように入力部１１０、フレーム検出部１２０、フレームデータメモリ１３０、特定ヘッダ抽出処理部１４０、表示用データ処理部１６０、表示部１７０、操作子１８０、ユーザインタフェース部１９０を備えている。
【００１８】
フレーム検出部１２０、特定ヘッダ抽出処理部１４０、表示用データ処理部１６０、ユーザインタフェース部１９０の各処理部は、例えば、フレームキャプチャ装置１００が備える図示しないＣＰＵが、図示しないメモリに格納されたプログラムにしたがって動作を行なうことで構成することができる。
【００１９】
入力部１１０は、ネットワークインタフェースを備えており、接続されたネットワークを流れるデータを入力する。フレーム検出部１２０は、入力されたデータから所定の規則にしたがってフレームを検出し、フレームデータメモリ１３０に格納する。ネットワークがイーサネットの場合、規定のビット列であるプリアンブルを検知することで、フレームの開始位置を検出することができる。また、ヘッダ情報を解析することで、フレームサイズを検出することができる。フレームデータメモリ１３０は、フレームを一時的に格納する記憶領域である。
【００２０】
特定ヘッダ抽出処理部１４０は、フレームデータメモリ１３０に格納されたフレームから、特定のヘッダを抽出する。本実施例では、特定のヘッダとして転送用タグであるＶＡＬＮタグを抽出する。ＶＡＬＮタグは、ＩＥＥＥ８０２．１ａｄ、ＩＥＥＥ８０２．１ａｈ等のフレーム定義にしたがって抽出することができる。すなわち、ＩＥＥＥ８０２．１ａｄでは、サービスＶＬＡＮタグとカスタマＶＬＡＮタグとが定義され、ＩＥＥＥ８０２．１ａｈでは、中継ＶＬＡＮタグ（Ｂ−Ｔａｇ）とサービスインスタンスタグ（Ｉ−Ｔａｇ）とが定義され、それぞれの定義にしたがって抽出することができる。
【００２１】
表示用データ処理部１６０は、特定ヘッダ抽出処理部１４０が抽出した特定ヘッダを表示部１７０に表示する。このとき、ユーザインタフェース部１９０が操作子１８０を介して受け付けたユーザからの指示にしたがった形式で表示を行なう。
【００２２】
表示部１７０は、液晶表示装置等で構成することができ、表示用データ処理部１６０の指示にしたがってキャプチャ結果、メニュー画面等を表示する。操作子１８０は、スイッチ、ダイヤルノブ、タッチパネル等を用いて構成することができ、ユーザから各種操作を受け付け、ユーザインタフェース部１９０に通知する。
【００２３】
本実施形態において、フレームキャプチャ装置１００は、図２に示すように、中継ネットワーク３００内の中継スイッチ３２０と収容スイッチ３１０との間に接続される。これは、収容スイッチ３１０でサービスＶＬＡＮタグが除去される前のイーサネットフレームをキャプチャするためである。
【００２４】
また、キャプチャする試験用フレームは、企業ＬＡＮに接続されたフレーム送信装置２００から送信することができる。フレーム送信装置２００から送信された試験用イーサネットフレームは、収容スイッチ３１０でサービスＶＬＡＮタグが付され、フレームキャプチャ装置１００でキャプチャされる。なお、フレームキャプチャ装置１００にフレーム送信機能を付加して、フレーム送信装置２００に替えてフレームキャプチャ装置１００を用いるようにしてもよい。
【００２５】
上述のように、本実施形態のフレームキャプチャ装置１００は、キャプチャしたイーサネットフレームのうち、転送用タグであるＶＡＬＮタグを抽出して表示する。これは、中継ネットワーク３００内の転送不具合等は、ＶＬＡＮタグに注目して確認することが有益だからである。
【００２６】
本実施形態のフレームキャプチャ装置１００は、中継ネットワーク３００内における重要な情報であるＶＬＡＮタグを抽出して表示するようにしているため、ユーザは、重要度の低い他の情報に紛れることなく、ＶＬＡＮタグを確認することができる。
【００２７】
また、中継ネットワーク３００内のキャプチャにおいては、フレームキャプチャ装置１００を通過するすべてのフレームをキャプチャして表示する必要はない。これは、フレームキャプチャ装置１００を通過するフレームのＶＡＬＮタグに含まれる情報の種類が限られているからである。
【００２８】
このため、所定間隔、例えば、１秒間隔でキャプチャを行なって、キャプチャ結果を表示することが望ましい。これにより、表示するフレーム数を削減することができ、ユーザの確認負担が軽減すると共に、表示のための処理時間を短縮することができる。
【００２９】
ただし、連続してキャプチャしたフレームを、所定間隔、例えば、１秒間隔で抽出して表示するようにしてもよい。この場合も、表示するフレーム数を削減することができ、ユーザの確認負担が軽減すると共に、表示のための処理時間を短縮することができる。
【００３０】
図３は、本実施形態のフレームキャプチャ装置１００の動作を説明するフローチャートである。
【００３１】
ユーザインタフェース部１９０が操作子１８０を介して、ユーザからキャプチャ開始指示を受け付けると（Ｓ１０１）、入力部１１０がデータ入力を開始する（Ｓ１０２）。そして、フレーム検出部１２０が入力データからフレームを検出し、フレームデータメモリ１３０に一時的に格納する（Ｓ１０３）。ここでは、所定間隔、例えば、１秒おきにフレーム検出処理を行なうものとする。ただし、連続して検出処理を行なうようにしてもよい。
【００３２】
次いで、特定ヘッダ抽出処理部１４０が、フレームデータメモリ１３０に格納されたフレームから転送用のヘッダであるＶＬＡＮタグを抽出する（Ｓ１０４）。
【００３３】
表示用データ処理部１６０は、抽出されたＶＬＡＮタグを表示形式に加工し、表示部１７０に所定間隔で表示させる（Ｓ１０５）。ＶＬＡＮタグの表示形式は、ユーザインタフェース部１９０が操作子１８０を介して、ユーザから受け付けることができる。
【００３４】
以上に示したフレーム抽出以降の処理を、キャプチャを終了するまで繰り返す（Ｓ１０６）。キャプチャの終了は、ユーザインタフェース部１９０が操作子１８０を介して、ユーザから終了指示を受け付けた場合、所定回数のキャプチャを行なった場合、キャプチャを所定時間行なった場合等とすることができる。
【００３５】
図４（ａ）は、ＶＬＡＮタグの表示形式の一例を示す図である。本図の例では、イーサネットフレームのフレーム構造を表示し、ＶＬＡＮタグに対応する位置に、サービスタグ（Ｓ−ＴＡＧ）およびカスタマタグ（Ｃ−ＴＡＧ）の内容を表示している。このとき、イーサネットフレームのフレーム構造において、ＶＬＡＮタグを着色する等により強調表示することで、表示対象をユーザが認識しやすいようにしている。表示するイーサネットフレームのフレーム構造は一部であってもよい。
【００３６】
本図の表示形式では、サービスタグ（Ｓ−ＴＡＧ）およびカスタマタグ（Ｃ−ＴＡＧ）の内容は、所定間隔、例えば、１秒間隔で更新されることになる。種類に限りがあるＶＬＡＮタグの内容は、必ずしもすべてのフレームについて確認する必要はなく、所定間隔毎に表示すれば十分であり、これにより、ユーザの確認作業を容易化することができると共に、フレームキャプチャ装置１００の表示処理負荷を軽減することができる。
【００３７】
図４（ｂ）は、ＶＬＡＮタグの表示形式の他の例を示す図である。本図の例では、イーサネットフレームのフレーム構造を表示し、ＶＬＡＮタグに対応する位置に、サービスタグ（Ｓ−ＴＡＧ）およびカスタマタグ（Ｃ−ＴＡＧ）の内容を時系列に表示する領域を設けている。
【００３８】
過去のタグ内容はスクロール形式で参照できるようにしてもよいし、所定行数の表示領域として、古い情報から上書き更新するようにしてもよい。本図の例でも、イーサネットフレームのフレーム構造において、ＶＬＡＮタグを着色する等により強調表示することで、表示対象をユーザが認識しやすいようにしている。表示するイーサネットフレームのフレーム構造は一部であってもよい。
【００３９】
本図の表示形式では、サービスタグ（Ｓ−ＴＡＧ）およびカスタマタグ（Ｃ−ＴＡＧ）の内容の取得履歴を確認することができる。本例でも、所定間隔毎に更新すれば十分であり、これにより、ユーザの確認作業を容易化することができると共に、フレームキャプチャ装置１００の表示処理負荷を軽減することができる。
【００４０】
なお、本実施形態では、ＶＬＡＮタグの内容を表示するようにしていたが、他のヘッダ情報を表示するようにしてもよい。この場合、ユーザインタフェース部１９０が操作子１８０を介して、ユーザから表示させるヘッダ情報の指定を受け付けるようにすることができる。そして、指定されたヘッダ情報を記憶領域に格納しておき、特定ヘッダ抽出処理部１４０が、この領域を参照することで、指定されたヘッダ情報を抽出する。これにより、ＶＬＡＮのみならずＭＰＬＳ等の他の伝送用プロトコルに対応することができるようになる。
【符号の説明】
【００４１】
１００…フレームキャプチャ装置
１１０…入力部
１２０…フレーム検出部
１３０…フレームデータメモリ
１４０…特定ヘッダ抽出処理部
１６０…表示用データ処理部
１７０…表示部
１８０…操作子
１９０…ユーザインタフェース部
２００…フレーム送信装置
３００…中継ネットワーク
３１０…収容スイッチ
３２０…中継スイッチ
【図１】
2013058891.tif 000003
【図２】
2013058891.tif 000004
【図３】
2013058891.tif 000005
【図４】
2013058891.tif 000006
【図５】
2013058891.tif 000007
【図６】
2013058891.tif 000008